(57)【要約】      （修正有）【課題】埃の侵入を防ぐことが可能で、かつリード線にコネクタがついた状態で組み立てられ、生産の効率を上げることができるファンモータを提供する。【解決手段】ロータハブ１０の外壁の内側にケーシングベース部１６から突設した壁を形成し、ラビリンスシール構造を有するファンモータであって、軸受ホルダ固定部１５はケーシングベース部１６に固定され、ケーシングベース部１６の中央に形成され、基板１２に固定されるコード４１を有するコネクタ４０が挿通可能な穴部１６ａと、軸受ホルダ固定部に形成され、コネクタ付きコードを通すための切欠き１５ａと、ケーシングベース部１６中央の穴部を封止する封止手段としての機銘板１８を有する。【選択図】図４
2016187247.tif 000002
【特許請求の範囲】
【請求項１】
ロータハブと、軸受ホルダと、軸受ホルダ固定部と、ケーシングベース部と、基板とを有し、前記ロータハブの外壁の内側に前記ケーシングベース部から突設した壁を形成し、ラビリンスシール構造を有するファンモータであって、
前記軸受ホルダ固定部は前記ケーシングベース部に固定され、
前記ケーシングベース部の中央に形成され、前記基板に固定されるコードを有するコネクタが挿通可能な穴部と、
前記軸受ホルダ固定部に形成され、コネクタ付きコードを通すための穴部と、
前記ケーシングベース部中央の穴部を封止する封止手段と、を有することを特徴とするファンモータ。
【請求項２】
前記軸受ホルダ固定部の外周と前記ケーシングベース部が嵌合する面には、いずれか一方に凸形状が形成され、前記軸受ホルダ固定部と前記ケーシングベース部との間には前記コードの太さ分の隙間が形成されることを特徴とする請求項１に記載のファンモータ。
【請求項３】
前記封止手段は機銘板であることを特徴とする請求項１又は請求項２に記載のファンモータ。
【請求項４】
前記封止手段は前記ケーシングベース部と同一材料の封止部材であることを特徴とする請求項１又は請求項２に記載のファンモータ。
【請求項５】
前記軸受ホルダ固定部と前記ケーシングベース部と前記封止手段を同時に固定する係止手段を有することを特徴とする請求項１から請求項４のいずれか１項に記載のファンモータ。
【請求項６】
前記封止手段は前記ケーシングベース部に設けられたコード挿通口と挟持して前記コードを固定し封止することを特徴とする請求項１から請求項５のいずれか１項に記載のファンモータ。
【発明の詳細な説明】
【技術分野】
【０００１】
本発明はファンモータに関する。
【背景技術】
【０００２】
ラビリンス構造であって、コードをケースの外周に引き出している構造は、特許文献１〜特許文献３に開示されている。特許文献１のモータは、ベースにロータハブの内径側に突出した壁を設けて、ラビリンス構造とし、ケーシングベース部の突出した壁の内径側に切欠きが形成され、ステータのコードを、この切欠きからケーシングの外側に引き出す構造となっている。
【０００３】
特許文献２のモータは、ステータを含む固定部を組み立てた後にインサートモールドにより軸受ホルダとステータと基板とを一体に形成し、この形成物をケーシングベース部に係止する方法がある。特許文献３のモータは、基板を含む固定部をシリコーンゴムによりモールドした構造である。
【先行技術文献】
【特許文献】
【０００４】
【特許文献１】特開２０１４−  ９０５４５号公報
【特許文献２】特開２００２−３４５１９９号公報
【特許文献３】特開２０００−１１６０９８号公報
【発明の概要】
【発明が解決しようとする課題】
【０００５】
しかしながら、特許文献１のモータでは、コードにコネクタがついた状態ではケーシングベース部に設けた切欠きをコネクタが挿通可能なだけ大きく形成する必要があり、この切欠きから埃等の侵入が可能となるため、切欠きはコードのみが挿通可能なように最小限に形成し、組み立て後にコードにコネクタを取り付けることになる。
【０００６】
また、特許文献２のモータでは、ケーシングベース部から外部にコネクタ付きのコードを取り出す場合はコネクタが挿通するだけの大きな穴が必要となる。さらに、特許文献３のモータでは、上記同様にコネクタ付きのコードを使用した場合、ケーシングベース部にはコネクタが挿通するだけの大きな穴が必要になる。そのため、この穴から埃の侵入が容易となり、ファンの回転が阻害される恐れがある。
【０００７】
本発明は上記問題点に鑑みなされたものであり、埃の侵入を防ぐことが可能で、かつリード線にコネクタがついた状態で組み立てられ、生産の効率を上げることができるファンモータを提供することを目的とする。
【課題を解決するための手段】
【０００８】
上記目的を達成するために、（１）本発明のファンモータは、ロータハブと、軸受ホルダと、軸受ホルダ固定部と、ケーシングベース部と、基板とを有し、前記ロータハブの外壁の内側に前記ケーシングベース部から突設した壁を形成し、ラビリンスシール構造を有するファンモータであって、前記軸受ホルダ固定部は前記ケーシングベース部に固定され、前記ケーシングベース部の中央に形成され、前記基板に固定されるコードを有するコネクタが挿通可能な穴部と、前記軸受ホルダ固定部に形成され、コネクタ付きコードを通すための穴部と、前記ケーシングベース部中央の穴部を封止する封止手段と、を有する。
【０００９】
（２）上記（１）において、前記軸受ホルダ固定部の外周と前記ケーシングベース部が嵌合する面には、いずれか一方に凸形状が形成され、前記軸受ホルダ固定部と前記ケーシングベース部との間には前記コードの太さ分の隙間が形成される。
（３）上記（１）又は（２）において、前記封止手段は機銘板である。
（４）上記（１）又は（２）において、前記封止手段は前記ケーシングベース部と同一材料の封止部材である。
【００１０】
（５）上記（１）から（４）のいずれか１において、前記軸受ホルダ固定部と前記ケーシングベース部と前記封止手段を同時に固定する係止手段を有する。
（６）上記（１）から（５）のいずれか１において、前記封止手段は前記ケーシングベース部に設けられたコード挿通口と挟持して前記コードを固定し封止する。
【発明の効果】
【００１１】
本発明によれば、埃の侵入を防ぐことが可能で、かつリード線にコネクタがついた状態で組み立てられ、生産の効率を上げることができるファンモータを提供することができる。
【図面の簡単な説明】
【００１２】
【図１】本発明の実施形態に係るファンモータの正面図である。
【図２】本発明の実施形態に係るファンモータの側面図である。
【図３】本発明の実施形態に係るファンモータの背面図である。
【図４】本発明の実施形態に係るファンモータの断面図である。
【図５】本発明の他の実施形態に係るファンモータの断面図である。
【発明を実施するための形態】
【００１３】
以下、本発明を実施するための形態(以下、「実施形態」という)を、添付図面に基づいて詳細に説明する。
【００１４】
図１は、本発明の実施形態に係るファンモータの正面図である。図２は本発明の実施形態に係るファンモータの側面図である。図３は本発明の実施形態に係るファンモータの背面図である。図４は本発明の実施形態に係るファンモータの断面図である。
【００１５】
図１〜図４に示すように、本実施形態のファンモータ１は、軸受ホルダ１３を軸受ホルダ固定部１５に取り付け、ケーシングベース部１６とは別部品としている。参照符号５はシャフト、１４はステータ、１１はマグネットをそれぞれ示している。ケーシングベース部１６はロータハブ１０の内周側に突設した壁部１６ｂが配置され、壁部１６ｂは全周にわたり形成されている。この壁部１６ｂとロータハブ１０によってラビリンスシール構造が形成される。
【００１６】
ケーシングベース部１６の中央には基板１２に固定されるコード４１を有するコネクタ４０が挿通可能な穴部１６ａが形成され、また軸受ホルダ固定部１５を固定するための係止手段としての係止部１７が設けられる。
【００１７】
軸受ホルダ１３に固定されたステータコア１４の各ティースには巻線が巻回され巻線端は基板に接続される。基板１２には外部からの電源を供給する為のコード４１が接続され、コード４１の先端にはコネクタ４０が接続される。コネクタ４０がついた状態で基板１２に接続されたコード４１は、軸受ホルダ固定部に設けられた切欠き（コネクタ付きコードを通すための穴部）１５ａを通り、さらにケーシングベース部１６の中央部の穴部１６ａからモータの外部に引き出し可能となる。
【００１８】
コード４１を引き出した後に、軸受ホルダ固定部１５はケーシングベース部１６に設けられた係止部１７によってケーシングベース部１６の中央に固定される。ケーシングベース部１６の中央の穴部１６ａは、この穴部１６ａを封止する封止手段として、例えば機銘板を張ることによって塞がれる。よって、外部からの埃の侵入はロータハブ１０とケーシングベース部１６のすきまからだけとなり、この部分には、ケーシングベース部１６から突出した壁によるラビリンス構造が形成されるので、埃の侵入を防ぐことが可能となる。
【００１９】
＜軸受ホルダ固定部１５＞
軸受ホルダ固定部１５の切欠き１５ａはリード線が通るだけの最小限の大きさであればよい。切欠き１５ａは丸穴、小判型の穴、一方が解放されたＵ字状の穴でもよい。また軸受ホルダ１３と軸受ホルダ固定部１５は異なる材料で形成されていてもよいし、同じ材料で形成されていてもよい。同じ材料で形成される場合は、一体に形成されていてもよい。
【００２０】
＜ケーシングベース部１６と軸受ホルダ固定部１５＞
ケーシングベース部１６の軸受ホルダ固定部１５が嵌合する面には、軸受ホルダ固定部１５の外周部だけが当たる凸部１６ｄが形成され、その内周部とケーシングベース部１６の間隔はリード線の太さ分の隙間が設けられている。軸受ホルダ固定部１５の外周部とケーシングベース部１６の嵌合部が当たることで、ケーシングベース部１６中央の穴部１６ａからの埃の侵入を防ぐことができる。凸部１６ｄはケーシングベース部１６側に設けてもよいし、軸受ホルダ固定部１５側に設けてもよい。
【００２１】
ケーシングベース部１６と軸受ホルダ固定部１５の係止部１７は、軸受ホルダ固定部１５に形成された複数の突起１５ｂがケーシングベース部１６側に形成された穴部１６ｃに嵌り、突起１５ｂは穴部１６ｃよりも外側まで伸びており、この突起１５ｂを超音波溶着などの手段で溶かし、結合してもよいし、軸受ホルダ固定部１５にねじ止め用のボスを形成しケーシングベース部１６裏側からねじ止めしてもよい。係止部１７は、軸受ホルダ固定部１５とケーシングベース部１６と封止手段１８を同時に固定する。
【００２２】
＜コードの引出＞
図５は本発明の他の実施形態に係るファンモータの断面図である。
ケーシングベース部１６の中央から引きだされたリード線はコード挿通口１９に沿って外径方向に導かれる。この時、コード挿通口１９は図４に示すように、機銘板１８で塞ぐこともできるし、図５に示すように、挿通口をふさぐ形状に形状が一体となった裏蓋２８で塞ぐこともできる。裏蓋２８は上記したケーシングベース部１６と軸受ホルダ固定部２５とともに同時に固定される構造としてもよい。封止手段はケーシングベース部１６と同一材料の封止部材とすることができる。
【００２３】
図５に示す例では、裏蓋２８と一体にコード挟持部（封止手段）２６が形成されている。コード挟持部２６は、ケーシングベース部１６に設けられたコード挿通口２９と挟持してコード４１を固定し封止する。
【００２４】
本発明の実施形態によれば、ラビリンス壁を切り欠くことなくコネクタ付きのコードを外部に引き出すことができるので、埃の侵入を防ぐことが可能で、かつリード線にコネクタがついた状態で組み立てられ、生産の効率を上げることができる。
【００２５】
以上、本発明を実施形態に基づき説明したが、本発明は実施形態に限定されるものではなく、その要旨を逸脱しない範囲で種々変更が可能である。本実施形態のケーシングベース部にはインペラ外径部を取り囲む外縁部が形成されていないが、本構造は外縁部が形成された構造の軸流ファンや遠心ファンにも適用可能である。
【符号の説明】
【００２６】
１  ファンモータ
１０  ロータハブ
１２  基板
１３  軸受ホルダ
１５  軸受ホルダ固定部
１５ａ  切欠き（穴部）
１６  ケーシングベース部
１６ａ  穴部（ケーシングベース部）
１７  係止部（係止手段）
１８  機銘板（封止手段）
【図１】
2016187247.tif 000003
【図２】
2016187247.tif 000004
【図３】
2016187247.tif 000005
【図４】
2016187247.tif 000006
【図５】
2016187247.tif 000007